(57)【要約】【課題】指輪型デバイスにおいて、無線信号の送信や受信が、使用者の意図に応じて確実に成されるようにする。【解決手段】指輪型デバイス１０２の外表面１０２Ｇの一部に設けられた凹部１３６に押下スイッチ１１６（スイッチ）が配置される。押下スイッチ１１６の頭部１１６Ｔの位置は、外表面１０２Ｇに達する高さに満たない高さに設定される。【選択図】図１
2016197346.tif 000002
【特許請求の範囲】
【請求項１】
指輪型デバイスにおいて、
前記指輪型デバイスの外表面の一部に設けられた凹部と、
前記凹部の凹部内に配置され、前記外表面に達する高さに満たない高さに頭部の位置が設定されたスイッチと、
前記指輪型デバイスの内部に配置され、前記スイッチに対する操作に応じた処理を実行する制御部と、
を備えたことを特徴とする指輪型デバイス。
【請求項２】
指輪型デバイスにおいて、
前記指輪型デバイスの内部に設けられた無線通信装置と、
前記指輪型デバイスの内部に設けられ、前記無線通信装置から出力される無線信号を送信する、又は、受信した無線信号を前記無線通信装置に与える無線アンテナと、
前記無線アンテナの周辺の一部に設けられ、前記無線アンテナから送信される無線信号を透過させる、又は、前記無線アンテナで受信される無線信号を透過させる絶縁部材と、
を備えたことを特徴とする指輪型デバイス。
【請求項３】
前記無線アンテナの周辺の一部に設けられた前記絶縁部材の位置から前記指輪型デバイスの外表面上を３０度〜１５０度移動させた位置に、前記無線通信装置の制御に用いられるスイッチを備えた、ことを特徴とする請求項２に記載の指輪型デバイス。
【請求項４】
前記スイッチは、前記指輪型デバイスの外表面側から押下される押下スイッチである請求項１又は請求項３に記載の指輪型デバイス。
【請求項５】
前記押下スイッチを支持する緩衝部材を有する請求項４に記載の指輪型デバイス。
【請求項６】
前記制御部は、前記スイッチに対する前記操作に応じて無線信号を出力する請求項１に記載の指輪型デバイス。
【請求項７】
加速度センサを備え、
前記制御部は、前記加速度センサで検知した移動方向を示す無線信号を送信する請求項６に記載の指輪型デバイス。
【請求項８】
加速度センサを備え、
前記制御部は、前記加速度センサで検知した移動方向への移動を支持する無線信号を送信する請求項６又は請求項７に記載の指輪型デバイス。
【請求項９】
前記無線アンテナは、前記スイッチに対する操作に応じて前記無線信号を出力する請求項３に記載の指輪型デバイス。
【請求項１０】
加速度センサを備え、
前記無線アンテナは、前記加速度センサで検知した移動方向を示す無線信号を送信する請求項９に記載の指輪型デバイス。
【請求項１１】
加速度センサを備え、
前記無線アンテナは、前記加速度センサで検知した移動方向への移動を支持する無線信号を送信する請求項９又は請求項１０に記載の指輪型デバイス。
【発明の詳細な説明】
【技術分野】
【０００１】
本願の開示する技術は指輪型デバイスに関する。
【背景技術】
【０００２】
使用者の指に装着し、指の動きを検知して、検知結果に応じて他の装置、たとえば情報処理装置の操作を行う指輪型デバイスがある。
【先行技術文献】
【非特許文献】
【０００３】
【非特許文献１】[online]、[平成２７年３月３１日検索]、インターネット＜URL:  http:// logbar.jp/ring/ja>
【発明の概要】
【発明が解決しようとする課題】
【０００４】
このような指輪型デバイスにおいて、操作モードの切替等のためのスイッチが指輪型デバイスの表面から突出していると、この指輪型デバイスの使用者が誤ってスイッチに触れてしまい、意図しないスイッチ操作が行われてしまうことがある。
【０００５】
また、指輪型デバイスは、他の装置との間で無線信号の送信や受信を行う。無線信号の送信や受信が的確になされないと、使用者の意図通りに他の装置の操作を行うことができない。
【０００６】
本願の開示技術は、１つの側面として、指輪型デバイスにおいて、無線信号の送信や受信が使用者の意図に応じて成されるように、無線信号の送信や受信の確実性を高めることが目的である。
【課題を解決するための手段】
【０００７】
本願の開示する技術では、指輪型デバイスの外表面の一部に設けられた凹部にスイッチが配置される。スイッチの頭部の位置は、指輪型デバイスの外表面に達する高さに満たない高さに設定される。
【発明の効果】
【０００８】
本願の開示する技術では、指輪型デバイスにおいて、無線信号の送信や受信が使用者の意図に応じて成されるように、無線信号の送信や受信の確実性を高めることができる。
【図面の簡単な説明】
【０００９】
【図１】図１は第一実施形態の指輪型デバイスを示す斜視図である。
【図２】図２は第一実施形態の指輪型デバイスを示す斜視図である。
【図３】図３は第一実施形態の指輪型デバイスを示す分解斜視図である。
【図４】図４は第一実施形態の指輪型デバイスを示す分解斜視図である。
【図５】図５は第一実施形態の指輪型デバイスを示す押下スイッチ及びその近傍の説明図である。
【図６】図６は第一実施形態の指輪型デバイスを示す背面図である。
【図７】図７は第一実施形態の指輪型デバイスにおける押下スイッチへの指接近状態を示す拡大図である。
【図８】図８は第一実施形態の指輪型デバイスにおける押下スイッチへの指接触状態を示す拡大図である。
【図９】図９は第一実施形態の指輪型デバイスにおける押下スイッチの押下状態を示す拡大図である。
【図１０】図１０は第一実施形態の指輪型デバイスの使用状態を示す説明図である。
【発明を実施するための形態】
【００１０】
第一実施形態について、図面に基づいて詳細に説明する。
【００１１】
図１〜図４に示すように、指輪型デバイス１０２は、筐体１０４、無線通信装置１０８、無線アンテナ１１０、絶縁カバー１１２、金属カバー１１４及び押下スイッチ１１６を有する。後述するように、無線通信装置１０８及び無線アンテナ１１０は、押下スイッチ１１６に対する操作に応じた処理を行う装置であり、制御部１０６の一例である。
【００１２】
筐体１０４は、指輪型デバイス１０２の使用者の手指（主に第二指Ｙ２、図１及び図１０参照）に装着される筒状の部材である。筐体１０４の外側には、前述の金属カバー１１４及び絶縁カバー１１２が配置される。
【００１３】
筐体１０４には、制御部収容部１１８が形成されている。図３及び図４に示す例では、制御部収容部１１８は、筐体１０４の外面を、局所的に径方向内側へ凹む平面状の形状として形成されている。
【００１４】
制御部収容部１１８には、無線通信装置１０８及び無線アンテナ１１０が収容されている。無線通信装置１０８は、図３及び図４に示すように、センサユニット１２０を有する。
【００１５】
センサユニット１２０は、指輪型デバイス１０２の動作を検知する部材である。本実施形態では、センサユニット１２０は、加速度センサ１２０Ａ、ジャイロスコープ１２０Ｂ及び地磁気センサ１２０Ｃを有する。たとえば、筐体１０４が上下方向に移動した場合は、上下方向の移動の加速度や移動時間等を検知し、これらのデータから、移動距離を得ることが可能である。なお、指輪型デバイス１０２を装着した指の姿勢に応じて、筐体１０４の上下方向は鉛直方向に対しずれるが、このずれをセンサユニット１２０による筐体１０４の角度検知で補正することも可能である。
【００１６】
無線アンテナ１１０は、センサユニット１２０で検知した筐体１０４の動作の情報を無線信号として外部に送信する。本実施形態では、たとえば、加速度センサ１２０Ａで検知した、指輪型デバイス１０２の移動方向を示す無線信号、及び、加速度センサ１２０Ａで検知した、指輪型デバイス１０２の移動方向への移動を指示する無線信号を送信することが可能である。
【００１７】
図１０に示すように、無線アンテナ１１０から送信された無線信号は、たとえばコンピュータ等の情報処理装置１５２で受信される。
【００１８】
無線アンテナ１１０の周辺の一部、具体的には、制御部収容部１１８の外側には、絶縁カバー１１２が設けられる。絶縁カバー１１２は、樹脂等の絶縁性の材料によって形成されており、制御部収容部１１８の一部又は全部を覆う部材である。図１及び図２に示す例では、絶縁カバー１１２は制御部収容部１１８（無線アンテナ１１０）を、指輪型デバイス１０２の外周側で覆う絶縁外周部１１２Ａと、筐体１０４の一端面１０４Ａ側を覆う絶縁底部１１２Ｂを有する。本実施形態では、絶縁外周部１１２Ａと絶縁底部１１２Ｂとは一体成形されている。
【００１９】
すなわち、制御部収容部１１８に収容された無線アンテナ１１０の周辺の一部は、絶縁カバー１１２で覆われている。したがって、たとえば、無線アンテナ１１０の周囲の全域が導電性（金属製）の部材で覆われた構造と比較して、絶縁カバー１１２の部分では電波が透過しやすい、すなわち、無線アンテナ１１０で送信される電波や受信される電波が減衰しづらい。
【００２０】
筐体１０４の外側で、且つ絶縁カバー１１２を避けた部分は、金属製の金属カバー１１４で覆われる。図３及び図４にも示すように、金属カバー１１４は、筐体１０４の外周面を覆う金属外周部１１４Ａと、筐体１０４の一端面１０４Ａ（２つの端面のうちの一方）を覆う金属底部１１４Ｂとを有する。本実施形態では、金属外周部１１４Ａと金属底部１１４Ｂとは一体成形されている。
【００２１】
そして、指輪型デバイス１０２は、図１及び図２に示すように、絶縁カバー１１２と金属カバー１１４の双方が筐体１０４に装着された状態で、絶縁外周部１１２Ａと金属外周部１１４Ａとが滑らかに連続し、円筒状の一体的な外観を成す。同様に、絶縁底部１１２Ｂと金属底部１１４Ｂとが滑らかに連続し、円環状の一体的な外観を成す。
【００２２】
金属カバー１１４は、筐体１０４の他端面１０４Ｂを覆う部分は有しておらず、金属底部１１４Ｂの反対側は開放部１１４Ｃである。したがって、金属カバー１１４内に、開放部１１４Ｃ側から筐体１０４を挿入することができるので、筐体１０４に金属カバー１１４を装着する作業が容易である。
【００２３】
絶縁カバー１１２の外縁部分からは、１つ又は複数（図３及び図４に示す例では、対向する２辺に２つずつ）の係合爪１２８が突出される。筐体１０４と金属カバー１１４の間には、これらの係合爪１２８と一対一で対応する係合孔１３０が形成される。金属カバー１１４を筐体１０４から取り外した状態で、係合爪１２８を係合孔１３０に配置し、金属カバー１１４を筐体１０４に組み付けると、係合爪１２８が係合孔１３０に係合される。係合爪１２８の外周側に金属カバー１１４が位置するので、絶縁カバー１１２を筐体１０４に取り付けた状態を維持でき、筐体１０４に対する絶縁カバー１１２の位置ズレや脱落を防止できる。
【００２４】
金属カバー１１４を筐体１０４から取り外すと、係合爪１２８の外周側に金属カバー１１４が位置しなくなるので、係合孔１３０への係合爪１２８の係合が解除される。これにより、絶縁カバー１１２を筐体１０４から容易に取り外すことが可能である。
【００２５】
筐体１０４には、１つ又は複数（本実施形態では３つであるが図４では１つのみ示す）の電池収容部１３２が形成される。電池収容部１３２は、電池１３４が収容される。電池１３４は、たとえば、センサユニット１２０や無線通信装置１０８に対し電力を供給する。
【００２６】
金属カバー１１４（金属外周部１１４Ａ）は、筐体１０４への装着状態で、電池収容部１３２に収容された電池１３４を外周側から覆う。電池１３４の交換は、金属カバー１１４を筐体１０４から取り外すことにより可能である。
【００２７】
指輪型デバイス１０２（金属カバー１１４）の外表面１０２Ｇには、凹部１３６が設けられている。  凹部１３６には、前述の押下スイッチ１１６が配置される。押下スイッチ１１６は、スイッチホルダ１３８に保持されている。押下スイッチ１１６は、「スイッチ」の一例である。
【００２８】
図３及び図４に示すように、スイッチホルダ１３８は、筐体１０４に沿って湾曲した板状のホルダ板１４０と、このホルダ板１４０の中央から径方向外側に立設された保持筒１４２を有する。図５に示すように、保持筒１４２内に押下スイッチ１１６が収容され保持されている。そして、スイッチホルダ１３８が筐体１０４の所定位置に取り付けられることで、押下スイッチ１１６がスイッチホルダ１３８により、筐体１０４に取り付けられる。このように押下スイッチ１１６が筐体１０４に取り付けられた状態で、押下スイッチ１１６の頭部１１６Ｔ側が、金属カバー１１４の挿通孔１１４Ｈを通り、凹部１３６内に位置する。
【００２９】
押下スイッチ１１６は、凹部１３６の底面１３６Ｓから外周側に向けて突出している。しかしながら、図５に示すように、押下スイッチ１１６の頭部１１６Ｔの位置は、指輪型デバイス１０２の外表面１０２Ｇに達する高さに満たない高さに設定されている。したがって、押下スイッチ１１６は、指輪型デバイス１０２の外表面１０２Ｇからは突出せず、凹部１３６内に位置している。
【００３０】
押下スイッチ１１６は、筐体１０４の内周側に向かって（矢印Ｐ１方向）押下されるスイッチである。図９に示すように、押下スイッチ１１６が所定量押下されると、制御部１０６が、この押下の操作に応じた処理を実行する。換言すれば、押下スイッチ１１６は、使用者が押下することで、無線通信装置１０８を制御することに用いられるスイッチである。
【００３１】
具体的には、たとえば、押下スイッチ１１６が押下されているときは制御部１０６をオン状態（無線アンテナ１１０から情報の送信が可能な状態）とし、押下されていないときは制御部１０６をオフ状態（情報の送信を行わない状態）とすることができる。これとは逆に、押下スイッチ１１６が押下されているときは、制御部１０６をオフ状態とし、押下されていないときに制御部１０６をオフ状態としてもよい。さらには、押下スイッチ１１６が押下される毎に、制御部１０６のオン状態とオフ状態とを切り替えるようにしてもよい。
【００３２】
スイッチホルダ１３８内には、押下スイッチ１１６よりも内周側に、緩衝部材１４４が配置される。緩衝部材１４４は、押下スイッチ１１６を押下方向（矢印Ｐ１方向）で支持する部材である。そして、押下スイッチ１１６が押下されると、緩衝部材１４４が沈み込むように変形し、押下に対する緩衝作用を発揮する。本実施形態では、緩衝部材１４４が変形し、押下スイッチ１１６が所定の変位量で押下方向に変位したときスイッチとして機能するように、押下スイッチ１１６の押下ストロークが設定される。
【００３３】
図１及び図１０に示すように、押下スイッチ１１６は、指輪型デバイス１０２が使用者の手の第一指Ｙ１以外の指（図１及び図１０の例では第二指Ｙ２）に装着されたときに、第一指Ｙ１で押下することができる位置に設けられる。
【００３４】
具体的には、図６に示すように、指輪型デバイス１０２を、筐体１０４の軸方向（図２の矢印Ａ１方向）に見たとき、絶縁カバー１１２の位置（中心線ＣＬ−１）からの角度θが３０度以上（径線ＲＤ−１）で、１５０度以下（径線ＲＤ−２）の範囲ＲＧ−１の位置に備えられる。
【００３５】
本実施形態の指輪型デバイス１０２は、指の動作で空中に手書きした文字を入力する場合に用いることが可能である。加えて、図１０に示すように、スクリーン１５４やディスプレイの表示画像１５６を、使用者の指の動作に対応させて動かす場合に用いることが可能である。たとえば、スクリーン１５４に表示された図形や人物像等の表示画像１５６を、使用者の指の動作で上下移動、水平移動、回転等させる場合に用いられる。
【００３６】
表示画像１５６に対するこれらの動作では、文字入力の場合と異なり、表示対象の動きそのものに意義があることが多く、入力情報の修正が意味を成さない場合もあり得る。すなわち、文字入力の場合には、誤入力した場合でも、対象文字を削除し再入力すれば問題ない。しかしながら、スクリーン１５４の表示画像１５６を一定の時点で、あるいは音楽等に合わせて移動させる場合には、特定のタイミングで表示画像１５６を移動させることが求められる。したがって、スクリーン１５４に表示された表示画像１５６を移動させる場合は、文字入力の場合と比較して、指輪型デバイス１０２の誤操作を抑制することがより強く求められる。
【００３７】
なお、図１０に示す例では、情報処理装置１５２から映像信号を受けた投影装置１５８がスクリーン１５４に映像を投影する例を挙げている。
【００３８】
次に、本実施形態の作用を説明する。
【００３９】
図１０に示すように、指輪型デバイス１０２は、使用者の第一指Ｙ１以外の指、たとえば第二指Ｙ２に装着される。装着状態では、第一指Ｙ１を用いることで、押下スイッチ１１６の押下操作が可能である。
【００４０】
図６に示すように、押下スイッチ１１６は、指輪型デバイス１０２を筐体１０４の軸方向に見たとき、絶縁カバー１１２の位置から、指輪型デバイス１０２（筐体１０４）の外表面１０２Ｇ上で３０度以上１５０度以下の範囲ＲＧ−１の位置に備えられる。したがって、第一指Ｙ１以外の指に指輪型デバイス１０２を装着したとき、第一指Ｙ１が届きやすい位置に押下スイッチ１１６があり、押下スイッチ１１６の第一指Ｙ１による押下操作が容易である。
【００４１】
図５に示すように、押下スイッチ１１６は、指輪型デバイス１０２の凹部１３６内に収容されており、押下スイッチ１１６の頭部１１６Ｔの高さは、指輪型デバイス１０２の外表面１０２Ｇに達する高さに満たない高さである。押下スイッチ１１６の頭部１１６Ｔは、指輪型デバイス１０２の外表面１０２Ｇから突出していないので、使用者の第一指Ｙ１が押下スイッチ１１６を不用意に接触して押下してしまう事態を抑制でき、誤操作を抑制できる。
【００４２】
たとえば、図７に示すように、第一指Ｙ１が外表面１０２Ｇに接近していても、押下スイッチ１１６には接触しない状態を実現できる。
【００４３】
なお、このように、使用者の指（第一指Ｙ１）による押下スイッチ１１６への不用意な接触や押下を抑制する観点からは、第一指Ｙ１の指幅等を考慮し、凹部１３６の底面１３６Ｓの面積（広さ）を小さく設定することが好ましい。本実施形態では、凹部１３６は、押下スイッチ１１６の押下方向（矢印Ｐ１方向）に見て正方形である。この場合、凹部１３６の底面１３６Ｓの一辺の長さを、２ｃｍ（面積４ｃｍ２）とすることが好ましく、１ｃｍ（面積１ｃｍ２）とすることがより好ましく、０．５ｃｍ（面積０．２５ｃｍ２）とすることがさらに好ましい。
【００４４】
押下スイッチ１１６は緩衝部材１４４で支持されている。したがって、押下スイッチ１１６が押下されたときにスイッチホルダ１３８に作用する荷重を緩衝部材１４４の変形により緩和することができる。
【００４５】
緩衝部材１４４は、押下スイッチ１１６の押下により変形する。そして、押下スイッチ１１６が沈み込んだ状態で無線通信装置１０８のオン状態とオフ状態とが切り替わる。緩衝部材１４４がない構造と比較して、押下スイッチ１１６の押下のストロークが長いので、より確実に誤操作を抑制できる。
【００４６】
たとえば、図８に示すように、図７の状態から第一指Ｙ１が凹部１３６内に入り込んでも。第一指Ｙ１が押下スイッチ１１６に単に触れただけでは、押下スイッチ１１６がスイッチとして機能しない状態を実現できる。図９に示すように、押下スイッチ１１６を押下して所定のストロークで押込む（変位させる）ことで、スイッチとして機能させることが可能である。
【００４７】
押下スイッチ１１６の操作により、無線通信装置１０８がオン状態にあるとき、センサユニット１２０が指輪型デバイス１０２の動作を検知すると、動作情報の無線信号が無線アンテナ１１０から送信される。図１０に示すように、無線信号を受けた情報処理装置１５２では、スクリーン１５４の表示画像１５６に対し、指輪型デバイス１０２の動作（使用者の意図する動作）に対応した所定の動きを生じさせる。
【００４８】
無線通信装置１０８は筐体に形成された制御部収容部１１８に収容される。筐体１０４から無線通信装置１０８が出っ張らないので、無線通信装置１０８に対する使用者の指や異物等の不用意な接触を抑制できる。
【００４９】
制御部収容部１１８の外周側は絶縁カバー１１２で覆われるので、このようなカバーがない構造と比較して、無線通信装置１０８を異物等からより確実に保護できる。
【００５０】
絶縁カバー１１２は、筐体１０４（又は金属カバー１１４）に対し脱着可能である。絶縁カバー１１２を筐体１０４から取り外すことで、制御部１０６が外表面１０２Ｇ側に露出するので、点検や交換が容易である。
【００５１】
筐体１０４の外側で、且つ絶縁カバー１１２を避けた位置は、金属カバー１１４で覆われる。したがって、金属カバー１１４がない構造と比較して、筐体１０４を異物等から保護できる。また、金属カバー１１４によって、指輪型デバイス１０２の見栄えを向上させることも可能である。
【００５２】
金属カバー１１４は、筐体１０４の外表面を覆う金属外周部１１４Ａと、筐体１０４の端面の一方（一端面１０４Ａ）を覆う金属底部１１４Ｂとを有する。金属カバー１１４により、筐体１０４を外周側及び一端面１０４Ａ側において確実に保護できる。
【００５３】
金属カバー１１４において、金属底部１１４Ｂの反対側は開放部１１４Ｃである。金属カバー１１４内に、開放部１１４Ｃ側から筐体１０４を挿入することができるので、筐体１０４に金属カバー１１４を装着する作業が容易である。
【００５４】
絶縁カバー１１２は、無線アンテナ１１０の周辺の一部を覆っており、制御部収容部１１８の周辺の全部を導電性の部材（たとえば金属カバー１１４）で覆ってはいない。したがって、無線アンテナ１１０により送信あるいは受信される無線信号（電波）が導電性の部材で減衰されることを抑制でき、使用者の意図に応じた無線信号の送信や受信を確実に行うことが可能である。
【００５５】
たとえば、制御部１０６（無線通信装置１０８及び無線アンテナ１１０）は、押下スイッチ１１６に対する操作（一例として、前述のオン状態とオフ状態の切替）に応じて、無線信号を出力する。あるいは、制御部１０６は、加速度センサ１２０Ａで検知した移動方向を示す無線信号や、移動方向への移動を示す無線信号を送信する。これらの無線信号の送信時や受信時に、無線信号の減衰を抑制できる。このため、押下スイッチ１１６に対する操作や、指輪型デバイス１０２の移動方向、さらに移動方向に応じた移動指示等を示す無線信号の送信や受信を確実に行うことが可能である。
【００５６】
本実施形態では、筐体１０４も樹脂製である。したがって、筐体を金属製とした構造と比較して、筐体１０４の形状の自由度が高い。たとえば、凹部１３６、制御部収容部１１８および電池収容部１３２を、所望の形状に形成することが容易である。
【００５７】
筐体１０４には、電池収容部１３２が形成される。電池１３４を電池収容部１３２に収容することで、筐体１０４（筐体１０４）から電池１３４から出っ張らない構造を採ることが容易である。
【００５８】
電池収容部１３２は、筐体１０４の外表面に設けられる。したがって、金属カバー１１４を筐体１０４から取り外せば、電池１３４が露出するので、電池１３４の交換作業が容易である。
【００５９】
しかも、電池収容部１３２に収容された電池１３４を、金属カバー１１４（金属外周部１１４Ａ）で外周側から覆うので、電池収容部１３２からの電池１３４の脱落を防止できる。電池１３４は金属カバー１１４で覆われており、指輪型デバイス１０２の外側からは見えないので、指輪型デバイス１０２の見栄えが良い。
【００６０】
上記では、「スイッチ」の例として押下スイッチ１１６を例示したが、スイッチは、押下スイッチ、すなわち、押下されることでオン状態とオフ状態の切替を行うスイッチに限定されない。たとえば、図５に示す横方向（矢印Ｓ１）にスライドされることでオン状態とオフ状態の切替を行うスライドスイッチでもよい。
【００６１】
スイッチとして押下スイッチを用いると、１方向（押下方向）での指の動きだけで、オン状態とオフ状態とを切替できる。そして、押下スイッチでは、意図せずに強く押下した場合に誤操作となりやすいが、上記実施形態の構造を適用することで、押下スイッチであっても誤操作を抑制できる。
【００６２】
スイッチとしてスライドスイッチを用いると、スライドスイッチの頭部に触れる動作と、スライドスイッチをスライドさせる動作とが異なる方向である。スライドスイッチの頭部を強く押下してしまっても、スイッチは反応しない（オン状態とオフ状態との切り替えがなされない）ので、誤操作を抑制する効果が高い。
【００６３】
以上、本願の開示する技術の実施形態について説明したが、本願の開示する技術は、上記に限定されるものでなく、上記以外にも、その主旨を逸脱しない範囲内において種々変形して実施可能であることは勿論である。
【００６４】
本明細書は、以上の実施形態に関し、さらに以下の付記を開示する。
（付記１）
指輪型デバイスにおいて、
前記指輪型デバイスの外表面の一部に設けられた凹部と、
前記凹部の凹部内に配置され、前記外表面に達する高さに満たない高さに頭部の位置が設定されたスイッチと、
前記指輪型デバイスの内部に配置され、前記スイッチに対する操作に応じた処理を実行する制御部と、
を備えたことを特徴とする指輪型デバイス。
（付記２）
指輪型デバイスにおいて、
前記指輪型デバイスの内部に設けられた無線通信装置と、
前記指輪型デバイスの内部に設けられ、前記無線通信装置から出力される無線信号を送信する、又は、受信した無線信号を前記無線通信装置に与える無線アンテナと、
前記無線アンテナの周辺の一部に設けられ、前記無線アンテナから送信される無線信号を透過させる、又は、前記無線アンテナで受信される無線信号を透過させる絶縁部材と、
を備えたことを特徴とする指輪型デバイス。
（付記３）
前記無線アンテナの周辺の一部に設けられた前記絶縁部材の位置から前記指輪型デバイスの外表面上を３０度〜１５０度移動させた位置に、前記無線通信装置の制御に用いられるスイッチを備えた、ことを特徴とする付記２記載の指輪型デバイス。
（付記４）
前記スイッチは、前記指輪型デバイスの外表面側から押下される押下スイッチである付記１又は付記３に記載の指輪型デバイス。
（付記５）
前記押下スイッチを支持する緩衝部材を有する付記４に記載の指輪型デバイス。
（付記６）
前記制御部は、前記スイッチに対する前記操作に応じて無線信号を出力する付記１に記載の指輪型デバイス。
（付記７）
加速度センサを備え、
前記制御部は、前記加速度センサで検知した移動方向を示す無線信号を送信する付記６に記載の指輪型デバイス。
（付記８）
加速度センサを備え、
前記制御部は、前記加速度センサで検知した移動方向への移動を支持する無線信号を送信する付記６又は付記７に記載の指輪型デバイス。
（付記９）
前記無線アンテナは、前記スイッチに対する操作に応じて前記無線信号を出力する付記３に記載の指輪型デバイス。
（付記１０）
加速度センサを備え、
前記無線アンテナは、前記加速度センサで検知した移動方向を示す無線信号を送信する付記９に記載の指輪型デバイス。
（付記１１）
加速度センサを備え、
前記無線アンテナは、前記加速度センサで検知した移動方向への移動を支持する無線信号を送信する付記９又は付記１０に記載の指輪型デバイス。
（付記１２）
前記スイッチが取り付けられる筒状の筐体と、
前記筐体の外表面の一部を覆う金属カバーと、
を有する付記１又は付記３に記載の指輪型デバイス。
（付記１３）
前記金属カバーが、
前記筐体の外表面を覆う金属外周部と、
前記筐体の端面の一方を覆う金属底部と、
を有する付記１２に記載の指輪型デバイス。
（付記１４）
前記筐体に形成され、電池を収容する電池収容部を有する付記１２又は付記１３に記載の指輪型デバイス。
（付記１５）
前記電池収容部が前記筐体の外表面に備えられ、
前記金属カバーが前記電池収容部に収容された前記電池を外周側から覆う付記１４に記載の指輪型デバイス。
【符号の説明】
【００６５】
１０２      指輪型デバイス
１０２Ｇ    外表面
１０４      筐体
１０４Ａ    一端面
１０４Ｂ    他端面
１０６      制御部
１０８      無線通信装置
１１０      無線アンテナ
１１２      絶縁カバー
１１４      金属カバー
１１６      押下スイッチ（スイッチの一例）
１１６Ｔ    頭部
１１８      制御部収容部
１１４Ａ    金属外周部
１１４Ｂ    金属底部
１１４Ｃ    開放部
１２０      センサユニット
１２０Ａ    加速度センサ
１２８      係合爪
１３０      係合孔
１３２      電池収容部
１３４      電池
１３６      凹部
１３６Ｓ    底面
１３８      スイッチホルダ
１４０      ホルダ板
１４２      保持筒
１４４      緩衝部材
１５２      情報処理装置
１５４      スクリーン
１５６      表示画像
１５８      投影装置
Ｙ１  第一指
Ｙ２  第二指
【図１】
2016197346.tif 000003
【図２】
2016197346.tif 000004
【図３】
2016197346.tif 000005
【図４】
2016197346.tif 000006
【図５】
2016197346.tif 000007
【図６】
2016197346.tif 000008
【図７】
2016197346.tif 000009
【図８】
2016197346.tif 000010
【図９】
2016197346.tif 000011
【図１０】
2016197346.tif 000012